(57)【要約】【課題】  靴べらを杖本体から出し入れする際にグリップを杖本体から着脱する必要がないようにし、また、杖本体よりも幅広の踵すべり部を有する靴べらを杖本体にスムーズに収納できるようにする。【解決手段】  杖本体２の上端のグリップ３に平面ほぼ半楕円形状をなす貫通孔３１を設け、靴べら５の踵すべり部５２の外寸を杖本体２の靴べら収納部２１の内寸よりも幅広に形成する。靴べら５の踵すべり部５２を下向きにしてグリップ３の上端から貫通孔３１に挿入させ、貫通孔３１内の一対のテーパー曲面３３及び中央突部３５により踵すべり部５２を誘導して弾性に抗して幅方向に湾曲させながら杖本体２の靴べら収納部２１に導入させることによって、靴べら５をグリップ３の上端から貫通孔３１を通して杖本体２の靴べら収納部２１まで収納させる。【選択図】  図１
2015202124.tif 000002
【特許請求の範囲】
【請求項１】
杖本体と、この杖本体の上端に設けられたグリップと、前記杖本体の内部に挿脱自在に収納される靴べらとからなる靴べら収納杖であって、
前記杖本体の内部には、その杖本体の上端から下向きに靴べら収納部を設け、
前記グリップには、そのグリップの上端に開口して前記杖本体の靴べら収納部に連通する靴べら挿脱用の貫通孔を設け、この貫通孔内に靴べらガイド用のガイド部を設けており、
前記靴べらは、長尺の軸部と、この軸部の下端に設けられた踵すべり部とからなり、この踵すべり部を弾性変形可能にするとともに、この踵すべり部の幅方向外寸を前記杖本体の靴べら収納部の幅方向内寸よりも幅広に形成しており、
前記靴べらの踵すべり部を下向きにして前記グリップの上端から前記貫通孔に挿入させるように構成し、この貫通孔の前記ガイド部により靴べらの踵すべり部を弾性に抗して幅方向に湾曲させながら前記杖本体の靴べら収納部に導入させることによって、その靴べらをグリップの上端から貫通孔を通して杖本体の靴べら収納部まで収納させるように構成した靴べら収納杖。
【請求項２】
前記グリップにおける前記貫通孔が平面ほぼ半楕円形状をなす貫通孔であり、この貫通孔の長軸方向の両側に、前記ガイド部として下向きで幅狭となる一対のテーパー曲面を設け、これらのテーパー曲面によって前記靴べらの踵すべり部を誘導して一方向に湾曲させるように構成した請求項１に記載の靴べら収納杖。
【請求項３】
前記平面ほぼ半楕円形状をなす貫通孔の長軸方向に沿う壁面に、ほぼ半円錐形状をなす中央突部を設け、この中央突部と前記一対のテーパー曲面とによって前記靴べらの踵すべり部を誘導して一方向に湾曲させるように構成した請求項２に記載の靴べら収納杖。
【請求項４】
前記グリップにおける前記貫通孔が平面ほぼ楕円形状をなす貫通孔であり、この貫通孔の長軸方向の両側に、前記ガイド部として下向きで幅狭となる一対のテーパー曲面を設け、これらのテーパー曲面によって前記靴べらの踵すべり部を誘導して湾曲させるように構成した請求項１に記載の靴べら収納杖。
【請求項５】
前記靴べらにおける前記踵すべり部の裏面に、軸方向に沿った複数本の線状溝を設け、その踵すべり部の弾性変形を前記複数本の線状溝によって幅方向での弾性変形のみに限定させるように構成した請求項１〜４のいずれか１項に記載の靴べら収納杖。
【請求項６】
前記靴べらにおける前記軸部の上端に、その靴べらを握り持つための握持部を設け、靴べらを前記杖本体の靴べら収納部に収納させた際に、前記握持部によって前記グリップの上端の開口を閉塞させるように構成した請求項１〜５のいずれか１項に記載の靴べら収納杖。
【発明の詳細な説明】
【技術分野】
【０００１】
本発明は、歩行時の補助具として使用される杖に関し、特に靴べらを杖の内部に挿脱自在に収納するようにした靴べら収納杖に関する。
【背景技術】
【０００２】
高齢者や足腰が悪い人にとって、杖は歩行時の補助具として必需品である。また、高齢者や足腰が悪い人は、足腰を深く曲げ難い場合が多いので、靴を履くために靴べらが必要になる。ところが、例えば外出先などでは靴べらが常備されてない場所もあり、高齢者や足腰が悪い人にとっては、脱いだ靴を再び履くことに困難や不便を感じることが少なからずあった。
【０００３】
このようなことから、特許文献１において、靴べらを杖の内部に挿脱自在に収納できるようにした靴べら仕込み杖が開示されている。この杖においては、杖本体の上端に持ち手部が着脱自在に取り付けられ、杖本体の上端から下端に向けて筒状軸部が形成され、杖本体の上端に大径椀状の靴べら受け部が形成されている。そして、持ち手部を杖本体から取り外し、靴べらの幅広のかかと受け部を上方にして靴べらを杖本体の筒状軸部に挿入すると、靴べらのかかと受け部が杖本体の靴べら受け部で受け止められて、靴べらが杖本体の筒状軸部に収納される。
【先行技術文献】
【特許文献】
【０００４】
【特許文献１】特許第５３１４８０８号公報
【発明の概要】
【発明が解決しようとする課題】
【０００５】
しかしながら、特許文献１に記載された杖においては、靴べらを杖本体の筒状軸部から出し入れする際に、持ち手部（グリップ）を杖本体から着脱する必要がある。これによって、靴べらを杖本体から抜き出して靴を履いた後に靴べらを杖本体に収納するまでの間、持ち手部を握って身体を支えるという杖としての本来機能が損なわれるので、靴べらの使用時の安全性が低下して不安を感じてしまう、という問題があった。
【０００６】
また、特許文献１に記載された杖においては、靴べらを杖本体の筒状軸部に収納するので、杖本体の上端の靴べら受け部を大径化しても、靴べらのかかと受け部（踵すべり部）の幅寸を靴べら受け部の内径よりも幅広にすることができない。このため、靴べらのかかと受け部を使って靴を履く際に、その利便性を必ずしも十分に生かせない、という問題があった。
【０００７】
そこで本発明は、靴べらを杖本体から出し入れする際にグリップを杖本体から着脱する必要がないようにし、また、杖本体よりも幅広の踵すべり部を有する靴べらを杖本体にスムーズに収納できるようにした靴べら収納杖を提供することを目的とする。
【課題を解決するための手段】
【０００８】
上記の目的を達成するために、本発明は、杖本体と、この杖本体の上端に設けられたグリップと、前記杖本体の内部に挿脱自在に収納される靴べらとからなる靴べら収納杖であって、前記杖本体の内部には、その杖本体の上端から下向きに靴べら収納部を設け、前記グリップには、そのグリップの上端に開口して前記杖本体の靴べら収納部に連通する靴べら挿脱用の貫通孔を設け、この貫通孔内に靴べらガイド用のガイド部を設けており、前記靴べらは、長尺の軸部と、この軸部の下端に設けられた踵すべり部とからなり、この踵すべり部を弾性変形可能にするとともに、この踵すべり部の幅方向外寸を前記杖本体の靴べら収納部の幅方向内寸よりも幅広に形成しており、前記靴べらの踵すべり部を下向きにして前記グリップの上端から前記貫通孔に挿入させるように構成し、この貫通孔の前記ガイド部により靴べらの踵すべり部を弾性に抗して幅方向に湾曲させながら前記杖本体の靴べら収納部に導入させることによって、その靴べらをグリップの上端から貫通孔を通して杖本体の靴べら収納部まで収納させるように構成したものである。
【０００９】
この構成によれば、靴べらをグリップの上端から貫通孔を通して杖本体の靴べら収納部に挿脱させるので、グリップを杖本体から着脱する必要がなくなる。そして、靴べらの踵すべり部を下向きにしてグリップの上端から挿脱させるので、一方の手でグリップを握ったまま他方の手で靴べらを挿脱すればよく、ごく自然な動作で長尺の靴べらを取り扱うことができる。
【００１０】
また、この構成によれば、グリップの貫通孔のガイド部によって、靴べらの踵すべり部を弾性に抗して幅方向に湾曲させながら杖本体の靴べら収納部に導入させるので、杖本体を大径化することなく、靴べら収納部の幅方向内寸よりも幅広の踵すべり部を有する靴べらを、杖本体の靴べら収納部に極めてスムーズに収納できる。その際に、ガイド部により踵すべり部を湾曲させることによって、その踵すべり部に無理な力を加えずに湾曲させているので、踵すべり部が不測に損傷するような惧れはない。そして、靴べらを杖本体及びグリップから抜き出していくと、靴べらの踵すべり部は弾性により幅広状態に復元するので、直ちに靴べらを使用できる。
【００１１】
また、前記の発明において、前記グリップにおける前記貫通孔が平面ほぼ半楕円形状をなす貫通孔であり、この貫通孔の長軸方向の両側に、前記ガイド部として下向きで幅狭となる一対のテーパー曲面を設け、これらのテーパー曲面によって前記靴べらの踵すべり部を誘導して一方向に湾曲させるように構成するとよい。
【００１２】
特に、この構成によれば、靴べらの踵すべり部の表面を貫通孔の長軸方向に沿わせると挿入が可能となり、逆向きでは挿入が不可能となるように設定できるので、踵すべり部を常に既定の向きで挿入できる。そして、貫通孔への踵すべり部の挿入に伴って、一対のテーパー曲面によって踵すべり部を確実に誘導して既定の一方向に湾曲させるので、踵すべり部を杖本体の靴べら収納部に極めてスムーズに導入できる。
【００１３】
また、前記の発明において、前記平面ほぼ半楕円形状をなす貫通孔の長軸方向に沿う壁面に、ほぼ半円錐形状をなす中央突部を設け、この中央突部と前記一対のテーパー曲面とによって前記靴べらの踵すべり部を誘導して一方向に湾曲させるように構成するとよい。
【００１４】
この構成によれば、貫通孔への踵すべり部の挿入に伴って、中央突部によって踵すべり部が内側から押圧されるので、踵すべり部の既定の一方向への湾曲を一対のテーパー曲面とともに的確に共助できる。
【００１５】
また、前記の発明において、前記グリップにおける前記貫通孔が平面ほぼ楕円形状をなす貫通孔であり、この貫通孔の長軸方向の両側に、前記ガイド部として下向きで幅狭となる一対のテーパー曲面を設け、これらのテーパー曲面によって前記靴べらの踵すべり部を誘導して湾曲させるように構成するとよい。
【００１６】
特に、この構成によれば、靴べらの踵すべり部の幅方向を貫通孔の長軸方向に適宜に合わせるだけで、踵すべり部の向きを考慮しないで挿入できる。そして、貫通孔への踵すべり部の挿入に伴って、一対のテーパー曲面によって踵すべり部を確実に誘導して湾曲させるので、踵すべり部を杖本体の靴べら収納部に極めてスムーズに導入できる。また、靴べら収納部の幅方向内寸に対して、最大限に幅広にした踵すべり部を導入させることが可能となる。
【００１７】
また、前記の発明において、前記靴べらにおける前記踵すべり部の裏面に、軸方向に沿った複数本の線状溝を設け、その踵すべり部の弾性変形を前記複数本の線状溝によって幅方向での弾性変形のみに限定させるように構成するとよい。
【００１８】
この構成によれば、靴べらの踵すべり部の弾性変形が幅方向のみに限定され、軸方向では変形不可に規制されるので、収納時には踵すべり部を効果的に湾曲させることができ、踵すべり部の不要な撓みや捩れも防止できる。また、使用時には踵すべり部による靴履き機能を良好にできる。
【００１９】
また、前記の発明において、前記靴べらにおける前記軸部の上端に、その靴べらを握り持つための握持部を設け、靴べらを前記杖本体の靴べら収納部に収納させた際に、前記握持部によって前記グリップの上端の開口を閉塞させるように構成するとよい。
【００２０】
この構成によれば、靴べらの握持部をグリップの開口を開閉するカバーとして兼用させることができるので、別個の開閉カバー等を設ける必要がなくなり、また、靴べら収納時にグリップの上端の外観体裁も良好になる。
【発明の効果】
【００２１】
本発明の靴べら収納杖によれば、靴べらを杖本体から出し入れする際に、グリップを杖本体から着脱する必要がなくなる。これによって、靴べらを杖本体から抜き出して靴を履いた後に靴べらを杖本体に収納するまでの間、グリップを握って身体を支えるという杖としての本来機能が全く損なわれないので、靴べらの使用時の安全性及び安心感を高めることができる。
【００２２】
また、本発明の靴べら収納杖によれば、杖本体を大径化することなく、杖本体よりも幅広の踵すべり部を有する靴べらを採用して、この靴べらを杖本体に極めてスムーズに収納することが可能となる。このため、靴べらの幅広の踵すべり部を使って靴を履く際に、その利便性を十分に生かすことができ、特に高齢者や足腰が悪い人にとって極めて有用である。
【図面の簡単な説明】
【００２３】
【図１】本発明の第１実施形態に係る靴べら収納杖で杖本体、グリップ及び靴べらの要部を示す斜視図である。
【図２】上記杖の全体を示す斜視図である。
【図３】（ａ）〜（ｄ）は上記杖で靴べらの出し入れを順に示す斜視図である。
【図４】上記杖のグリップを示し、（ａ）は平面図、（ｂ）は縦断面図、（ｃ）は（ｂ）図のｃ−ｃ線断面図、（ｄ）は（ｂ）図のｄ−ｄ線断面図、（ｅ）は（ｂ）図のｅ−ｅ線断面図である。
【図５】上記杖の靴べらを示し、（ａ）は表面側を示す分解斜視図、（ｂ）は裏面側を示す分解斜視図である。
【図６】上記杖の靴べらを示し、（ａ）は表面側を示す正面図、（ｂ）は（ａ）図のｂ−ｂ線拡大断面図、（ｃ）は裏面側を示す背面図、（ｄ）は（ｃ）図のｄ−ｄ線拡大断面図である。
【図７】上記杖で靴べらの踵すべり部の挿入状態を示し、（ａ）は踵すべり部をグリップの貫通孔に挿入させた状態の平面視拡大断面図、（ｂ）は踵すべり部を杖本体の靴べら収納部に導入させた状態の拡大横断面図である。
【図８】第２実施形態に係る靴べら収納杖で杖本体、グリップ及び靴べらの要部を示す斜視図である。
【図９】上記杖のグリップを示し、（ａ）は平面図、（ｂ）は縦断面図である。
【図１０】上記第２実施形態の変形例で靴べらの踵すべり部の挿入状態を示し、（ａ）は踵すべり部をグリップの貫通孔に挿入させた状態の平面視拡大断面図、（ｂ）は踵すべり部を杖本体の靴べら収納部に導入させた状態の拡大横断面図である。
【図１１】グリップに設けられる貫通孔及びガイド部の変更態様を説明するための概念図である。
【図１２】また別の実施形態に係る靴べら収納杖で靴べらの踵すべり部を示し、（ａ）は裏面側を示す背面図、（ｂ）は（ａ）図のｂ−ｂ線拡大断面図、（ｃ）は裏面側を示す背面図、（ｄ）は（ｃ）図のｄ−ｄ線拡大断面図、（ｅ）は裏面側を示す背面図、（ｆ）は（ｅ）図のｆ−ｆ線拡大断面図である。
【発明を実施するための形態】
【００２４】
以下、本発明に係る靴べら収納杖の実施の形態を図面に基づいて説明する。図１〜図７は第１実施形態を示すもので、まず、図１〜図３に示すように、この靴べら収納杖１は、杖本体２と、この杖本体２の上端に設けられたグリップ３と、その杖本体２の内部に挿脱自在に収納される靴べら５とからなる。
【００２５】
杖本体２は、横断面が円形状をなす長尺の中空パイプが用いられ、軽量強固なアルミニウム合金製やカーボンファイバー製が好適である。杖本体２の内部には、その杖本体２の上端から下向きに長尺で中空の靴べら収納部２１が設けられている。本実施形態では、杖本体２が中空パイプなので、このパイプ内が靴べら収納部２１に相当する。なお、杖本体２の下端には、すべり防止用のゴム足４が交換可能に嵌着されている。
【００２６】
図１及び図４に示すように、手で握るためのグリップ３は、いわゆるＬ字型やＴ字型のものであり、例えば合成樹脂材料によって成形され、杖本体２の上端に着脱不要に固定されている。そして、グリップ３には、特徴的な構成である靴べら挿脱用の貫通孔として、平面ほぼ半楕円形状をなす貫通孔３１が形成されている。この貫通孔３１は、グリップ３の上端で開口３２となってグリップ３を貫通し、杖本体２の靴べら収納部２１に連通している。なお、貫通孔３１は、その長軸方向をグリップ３の握り長手方向と一致させており、杖本体２の靴べら収納部２１の上方でその半円形部分を含む形状となっている。さらに、貫通孔３１の長径は靴べら収納部２１の直径よりも大きくなっているが、貫通孔３１の短半径は靴べら収納部２１の半径とほぼ等しくなっている。
【００２７】
そして、貫通孔３１の長軸方向の両側には、靴べらガイド用のガイド部として、下向きで幅狭となる一対のテーパー曲面３３が設けられている。これらのテーパー曲面３３は、貫通孔３１の長軸方向の内面で靴べら収納部２１の半円形部分に連なる曲面である。また、貫通孔３１の長軸方向に沿う垂直な壁面３４には、上方が先鋭のほぼ半円錐形状をなす中央突部３５が同心状に形成されている。この中央突部３５の下方の最大半径部分は、靴べら収納部２１の半径よりも小径になっている。なお、貫通孔３１の開口３２の片側周囲は、グリップ３の上端で段付きの凹部３６となっている。
【００２８】
図５及び図６に示すように、靴べら５は、足腰を深く曲げずに靴を履けるように、長尺の軸部５１と、この軸部５１の下端に設けられた踵すべり部５２と、その軸部５１の上端に設けられた握持部６１とからなる。軸部５１と踵すべり部５２とは、例えばポリプロピレン等の合成樹脂材料によって一体に成形されている。軸部５１は、横断面を円弧形状にして剛性を持たせており、踵すべり部５２との接続部分を含めて全体的に変形不可となっている。
【００２９】
靴べら５の踵すべり部５２は、ほぼ長方形状で先端が円弧状をなし、その表面５３が滑らかな踵すべり面となっている。踵すべり部５２の裏面の中央部は、軸部５１から連続して剛性を有する軸芯５４となっており、この軸芯５４の両側部分における踵すべり部５２が弾性変形可能である。そして、踵すべり部５２は全体的に同じ肉厚で形成され、その踵すべり部５２の裏面で軸芯５４の両側には、それぞれ例えば３本の線状溝５５が軸方向に沿って形成されている。これらの線状溝５５によって、踵すべり部５２の弾性変形が幅方向（図６（ｄ）の矢印方向）のみに限定され、軸方向では変形不可に規制されている。
【００３０】
なお、踵すべり部５２は、図示のように弾性復元した通常状態で、表面５３が緩やかな凹となるように予め成形されている。さらに特徴的な点として、図７（ａ）及び図７（ｂ）に示すように、踵すべり部５２の幅方向外寸Ｗは、杖本体２の靴べら収納部２１の幅方向内寸Ｐよりも幅広に形成されている。すなわち、前記グリップ３の貫通孔３１の長径≧Ｗ＞Ｐとなっている。本実施形態では、例えば外寸Ｗが３０ｍｍ程度、内寸Ｐが２０ｍｍ程度である。また、踵すべり部５２の長さＬは７０ｍｍ程度、靴べら５の全長は６０ｃｍ程度である。
【００３１】
図１及び図５に示すように、靴べら５を握り持つための握持部６１は、好適には前記グリップ３と同一材料によって成形され、軸部５１の上端に取り付けられる。握持部６１はグリップ３の上端の凹部３６と対応し、握持部６１の下部のボス６２はグリップ３の上端の開口３２と対応している。そして、軸部５１の上端が握持部６１のボス６２の嵌合溝６３に嵌合され、軸部５１の一対の係合部５６がボス６２の一対の被係合孔６４に弾性的に係合されることによって、握持部６１が軸部５１の上端に組み付けられる。このような構造にしたのは、軸部５１または踵すべり部５２が破損した場合に、これを握持部６１から取り外して交換可能にするためである。そして、詳しくは後述するが、靴べら５を杖本体２の靴べら収納部２１に収納させた際に、握持部６１及びボス６２はグリップ３の凹部３６及び開口３２に嵌合され、握持部６１によって開口３２が閉塞される。
【００３２】
次に、上述した靴べら収納杖１における靴べら５の収納について説明する。図１及び図４更に図７（ａ）において、靴べら５の踵すべり部５２を下向きにしてグリップ３の上端から貫通孔３１に挿入させる。本実施形態では、靴べら５の踵すべり部５２は表面５３が緩やかな凹となるように予め成形されているから、踵すべり部５２の表面５３を貫通孔３１の長軸方向に沿わせると挿入が可能（図７（ａ）参照）となり、逆向きでは挿入が不可能となる。これによって、踵すべり部５２を常に既定の向きで挿入することができる。
【００３３】
そして、貫通孔３１への踵すべり部５２の挿入に伴って、一対のテーパー曲面３３によって踵すべり部５２が確実に誘導されて、踵すべり部５２は弾性に抗して幅方向で既定の一方向（表面５３が更に凹となる方向）に湾曲していく。また、貫通孔３１への踵すべり部５２の挿入に伴って、中央突部３５によって踵すべり部５２が内側から押圧されることになるので、踵すべり部５２の既定の一方向への湾曲を両テーパー曲面３３とともに的確に共助できる。なお、踵すべり部５２の表面５３が予め緩やかな凹となっているので、挿入初期には両テーパー曲面３３及び中央突部３５による誘導湾曲がより円滑になる。
【００３４】
このようにして、図７（ａ）から図７（ｂ）に示すように、杖本体２の靴べら収納部２１の幅方向内寸Ｐよりも幅広の幅方向外寸Ｗを有する踵すべり部５２が、杖本体２の靴べら収納部２１に極めてスムーズに導入される。このとき、踵すべり部５２は複数本の線状溝５５によって効果的に湾曲するので、踵すべり部５２は靴べら収納部２１の内面に沿って円滑に摺接される。さらに、踵すべり部５２の弾性変形が幅方向のみに限定され、軸方向では変形不可に規制されているので、靴べら収納部２１への導入時には踵すべり部５２の不要な撓みや捩れを防止できる。なお、貫通孔３１が平面ほぼ半楕円形状であり、その長軸方向に沿って壁面３４が存在するので、踵すべり部５２は靴べら収納部２１の内面のほぼ半周分に摺接されることになる。
【００３５】
この挿入を続けていくと、靴べら５がグリップ３の上端から貫通孔３１を通して杖本体２の靴べら収納部２１までスムーズに収納される。ここで、靴べら５の軸部５１が円弧形状なので、貫通孔３１内では軸部５１が中央突部３５によってガイドされ、靴べら収納部２１内では軸部５１が靴べら収納部２１の内面に沿って摺接される。また、この軸部５１の軸周り回転は貫通孔３１の垂直な壁面３４により阻止されることになる。したがって、靴べら５を靴べら収納部２１に円滑かつ確実に収納させることができる。なお、本実施形態では、貫通孔３１内に中央突部３５を設けたが、この中央突部３５を省略した構造にしてもよい。この場合には、靴べら５の軸部５１の横断面形状を、ほぼ半円形状その他の適宜な形状に変更できる。
【００３６】
そして、図１〜図３において、靴べら５が杖本体２の靴べら収納部２１に完全に収納された際には、靴べら５の握持部６１及びボス６２がグリップ３の凹部３６及び開口３２に嵌合され、握持部６１によって開口３２が閉塞される。これによって、靴べら５の握持部６１をグリップ３の開口３２を開閉するカバーとして兼用させることができる。このため、別個の開閉カバー等を設ける必要がなくなり、また、グリップ３の上端を面一状態にできて外観体裁も良好になる。なお、図５において６５及び６６は握持部６１側の係合部であり、これに対応して、図１における３７及び３８が凹部３６側の被係合部となっている。
【００３７】
次に、靴べら５を杖本体２の靴べら収納部２１から抜き出す際は、グリップ３の凹部３６に設けられた一対の指掛け３９を利用して握持部６１を凹部３６から上方へ取り外す。そして上述の逆動作で、靴べら５の握持部６１を持って靴べら５を杖本体２及びグリップ３から抜き出していくと、靴べら５の踵すべり部５２は弾性により幅広状態に復元する。そして、この長尺の靴べら５を使用して靴を履くことができる。このとき、靴べら５の踵すべり部５２の弾性変形が幅方向のみに限定され、軸方向では変形不可に規制されているので、踵すべり部５２による靴履き機能を良好にできる。
【００３８】
上述のように、第１実施形態の靴べら収納杖１によれば、靴べら５をグリップ３の上端から貫通孔３１を通して杖本体２の靴べら収納部２１に挿脱させるので、グリップ３を杖本体２から着脱する必要がなくなる。そして、靴べら５の踵すべり部５２を下向きにしてグリップ３の上端から挿脱させるので、一方の手でグリップ３を握ったまま他方の手で靴べら５を挿脱すればよく、ごく自然な動作で長尺の靴べら５を取り扱うことができる。
【００３９】
また、第１実施形態の靴べら収納杖１によれば、グリップ３の貫通孔３１の両テーパー曲面３３及び中央突部３５によって、靴べら５の踵すべり部５２を誘導して弾性に抗して幅方向に湾曲させながら杖本体２の靴べら収納部２１に導入させる。これによって、杖本体２を大径化することなく、靴べら収納部２１の幅方向内寸Ｐよりも幅広Ｗの踵すべり部５２を有する靴べら５を、杖本体２の靴べら収納部２１に極めてスムーズに収納できる。その際に、両テーパー曲面３３及び中央突部３５により踵すべり部５２を誘導して湾曲させることによって、その踵すべり部５２に無理な力を加えずに湾曲させているので、踵すべり部５２が不測に損傷するような惧れはない。そして、靴べら５を杖本体２及びグリップ３から抜き出していくと、靴べら５の踵すべり部５２は弾性により幅広状態に復元するので、直ちに靴べら５を使用できる。
【００４０】
さらに、第１実施形態の靴べら収納杖１によれば、グリップ３の貫通孔３１を平面ほぼ半楕円形状にすることによって、靴べら５の踵すべり部５２の表面５３が緩やかな凹となるように設定してある場合に、この踵すべり部５２の表面５３を貫通孔３１の長軸方向に沿わせると挿入が可能となり、逆向きでは挿入が不可能となる。このため、踵すべり部５２の表裏を確認しなくても、踵すべり部５２を常に既定の向きで挿入できる。また、靴べら５を杖本体２及びグリップ３から抜き出した際は、常に踵すべり部５２の表面５３が同じ向きにあるので、その表裏を確認せずに靴履きに使用できる。さらに、貫通孔３１を平面ほぼ半楕円形状にすると、その長軸方向に沿った壁面３４を利用して中央突部３５を形成できる。これによって、前述したように、中央突部３５による踵すべり部５２の誘導及び軸部５１のガイド、壁面３４による軸部５１の回転阻止などの利点がある。
【００４１】
次に、靴べら収納杖の第２実施形態を図８及び図９に基づいて説明する。この第２実施形態は、図１及び図４で説明したグリップ３の貫通孔について、基本的な構造を示すものである。すなわち、グリップ３には、特徴的な構成である靴べら挿脱用の貫通孔として、平面ほぼ楕円形状をなす貫通孔１３１が形成されている。この貫通孔１３１は、グリップ３の上端で開口１３２となってグリップ３を貫通し、杖本体２の靴べら収納部２１に連通している。なお、貫通孔１３１は、その長軸方向をグリップ３の握り長手方向と一致させており、杖本体２の靴べら収納部２１の上方でその円形部分を含む形状となっている。さらに、貫通孔１３１の長径は靴べら収納部２１の直径よりも大きく（長径≧Ｗ＞Ｐ）なっているが、貫通孔１３１の短径は靴べら収納部２１の直径とほぼ等しくなっている。
【００４２】
そして、貫通孔１３１の長軸方向の両側には、靴べらガイド用のガイド部として、下向きで幅狭となる一対のテーパー曲面１３３が設けられている。これらのテーパー曲面１３３は、貫通孔１３１の長軸方向の内面で靴べら収納部２１の円形部分に連なる曲面である。なお、貫通孔１３１の開口１３２の全周囲は、グリップ３の上端で段付きの凹部１３６となっている。
【００４３】
この第２実施形態の靴べら収納杖１によれば、靴べら５の踵すべり部５２の幅方向を貫通孔１３１の長軸方向に適宜に合わせるだけで、踵すべり部５２の向きを考慮しないで挿入することができる。そして、どちら向きでも貫通孔１３１への踵すべり部５２の挿入に伴って、一対のテーパー曲面１３３によって踵すべり部５２を確実に誘導して弾性に抗して幅方向に湾曲させるので、踵すべり部５２を杖本体２の靴べら収納部２１に極めてスムーズに導入できる。そして、靴べら５が杖本体２の靴べら収納部２１に完全に収納された際には、靴べら５の握持部１６１及びボス１６２がグリップ３の凹部１３６及び開口１３２に嵌合され、握持部１６１によって開口１３２が閉塞される。その他の部分で前述と実質的に同一機能の部分には同一の符号を付す。
【００４４】
また、第２実施形態の靴べら収納杖１によれば、グリップ３の貫通孔１３１を平面ほぼ楕円形状にすることによって、靴べら５の踵すべり部５２の幅方向を貫通孔１３１の長軸方向に適宜に合わせるだけでよい。このため、踵すべり部５２の表裏の向きを考慮せずに、踵すべり部５２を任意の向きで挿入できるので、靴べら５の取り扱いが楽になる。これに関連して、靴べら５の握持部１６１及びボス１６２とグリップ３の凹部１３６及び開口１３２とは、貫通孔１３１の軸交点を中心とする点対称に形成されている。つまり、グリップ３の握り長手方向を基準にして、踵すべり部５２の表面５３を左右どちらの向きで貫通孔１３１に挿入しても、握持部１６１及びボス１６２は凹部１３６及び開口１３２に確実に嵌合される。したがって、本実施形態では、グリップ３を右手で握って靴べら５を左手で扱っても、逆にグリップ３を左手で握って靴べら５を右手で扱っても、同様に使用できて互換性ならびに汎用性を高めることができる。
【００４５】
なお、この第２実施形態の貫通孔１３１は、前述した第１実施形態の貫通孔３１と同様な大きさのものを例示し、同様な靴べら５を挿入させるので、靴べら５の踵すべり部５２を杖本体２の靴べら収納部２１に導入させた状態は、図７（ｂ）と同様である。ところが、この貫通孔１３１は平面ほぼ楕円形状であり、前記貫通孔３１のような長軸方向に沿った壁面３４が存在しない。このため、踵すべり部５２の幅方向外寸を更に幅広にしても、この踵すべり部５２を靴べら収納部２１にスムーズに導入させることができる。
【００４６】
そこで、この第２実施形態の変形例を図１０に基づいて説明する。なお、前述と実質的に同一機能の部分には同一の符号を付し変形部分にはａを添える。また、図１０は図７よりも少し小さく作図しているが本来は同一スケールである。この変形例では、杖本体２における靴べら収納部２１の幅方向内寸Ｐは、前述のものから変更されていない。これに対して、靴べら５における踵すべり部５２ａの幅方向外寸Ｗａは、前述の１．８倍程度で幅広に形成されている。グリップ３における貫通孔１３１ａは、グリップ３の上端の開口１３２ａから杖本体２の靴べら収納部２１に連通し、その長径は幅広の踵すべり部５２ａに対応する長さである。つまり、貫通孔１３１ａの長径≧Ｗａ＞Ｐとなっている。
【００４７】
この変形例では、図１０（ａ）において、貫通孔１３１ａへの踵すべり部５２ａの挿入に伴って、一対のテーパー曲面１３３ａによって踵すべり部５２ａが確実に誘導され、弾性に抗して幅方向に湾曲して、踵すべり部５２ａが靴べら収納部２１に極めてスムーズに導入される。そして、図１０（ｂ）に示すように、幅広の踵すべり部５２ａは複数本（前述より多数）の線状溝５５によって効果的に湾曲するので、踵すべり部５２ａは靴べら収納部２１の内面の大部分に沿って円滑に摺接される。このように、第２実施形態の変形例によれば、貫通孔１３１ａが平面ほぼ楕円形状なので、この貫通孔１３１ａの長径を必要な長さに設定することによって、靴べら収納部２１の幅方向内寸Ｐに対して、最大限では全周に相当する幅広Ｗａの踵すべり部５２ａを導入させることが可能となる。
【００４８】
ところで、グリップ３の靴べら挿脱用の貫通孔について、上述した第２実施形態よりも更に基本的な構造として、平面ほぼ円形状をなす貫通孔が考えられるが、この場合は、靴べら５の踵すべり部５２を挿入させる位置が決定し難い上に、踵すべり部５２を湾曲させる方向も不定となり易い。したがって、上述した第１または第２実施形態のような、平面ほぼ半楕円形状の貫通孔３１または平面ほぼ楕円形状の貫通孔１３１が好ましい。また、これらに類似するものとして、平面ほぼ半長円形状の貫通孔や平面ほぼ長円形状の貫通孔なども採用し得る。なお、上述した第１及び第２実施形態では、横断面が円形状をなす杖本体２の内部を同形状の靴べら収納部２１としたが、横断面が楕円形状または長円形状の杖本体を用いて、その内部を同形状の靴べら収納部にしてもよい。
【００４９】
さらに、上述した第１及び第２実施形態では、グリップ３において貫通孔３１・１３１及びガイド部である一対のテーパー曲面３３・１３３を例示したが、これら貫通孔及びガイド部の構成は、靴べらの踵すべり部や杖本体の靴べら収納部の構造に応じて、必要な変更がなされるものである。そこで、このような変更の態様を図１１の概念図によって説明する。例えば、杖本体の外観は任意の形状でよいが、この杖本体の内部に、横断面がほぼ矩形状をなす靴べら収納部２２１を設けるものと想定する。この場合、グリップには、靴べら挿脱用の貫通孔として、平面ほぼ長方形状をなす貫通孔２３１を形成するのが好ましい。この貫通孔２３１の長辺及び短辺は靴べら収納部２２１の対応辺よりも大きくする。
【００５０】
そして、貫通孔２３１の短辺がある両側には、靴べらガイド用のガイド部として、下向きで幅狭となる一対のテーパー面（傾斜平面）２３３を設ける。ここで、靴べら５の踵すべり部５２の幅方向外寸をＷ、貫通孔２３１の長辺の長さをＡとすると、踵すべり部５２を貫通孔２３１に挿入させるためには、Ａ≧Ｗが条件である。また、踵すべり部５２をスムーズに湾曲させるためには、テーパー面２３３の傾斜を４５度以上にするのが好ましく、テーパー面２３３の傾斜成分として水平方向の長さ分をＢ、垂直方向の高さ分をＣとすると、Ｃ≧Ｂが条件となる。
【００５１】
このような変更態様においても、靴べら５の踵すべり部５２の幅方向を貫通孔２３１の長辺方向に合わせて挿入させると、一対のテーパー面２３３によって踵すべり部５２を誘導して弾性に抗して幅方向に湾曲させることが可能となる。なお、踵すべり部５２の表面５３が緩やかな凹となるように予め成形しておくと、両テーパー面２３３が平面であっても、挿入初期の両テーパー面２３３による誘導湾曲がより円滑になる。このようにして、幅広の踵すべり部５２を杖本体の靴べら収納部２２１にスムーズに導入できる。したがって、この変更態様のように、グリップにおける貫通孔及びガイド部の構成は、必要に応じて最適な構成に変更し得るものである。
【００５２】
次に、また別の実施形態に係る杖で靴べらの踵すべり部を図１２に示す。（ａ）及び（ｂ）では、全体的に同じ肉厚で形成された踵すべり部１５２の裏面で軸芯５４の両側に、それぞれ例えば３本の線状溝１５５が軸方向に沿って形成されている。これらの線状溝１５５は、前述した線状溝５５よりも広めで波形に形成されている。また、踵すべり部１５２の肉厚部分には、ここを横貫するように金属製の線状バネ１５７が埋設されている。これらの線状溝１５５及び線状バネ１５７によって、踵すべり部１５２の弾性変形が幅方向のみに限定され、軸方向では変形不可に規制されている。そして、線状バネ１５７の弾性効果によって、踵すべり部１５２の弾性復元力が劣化するのを防止できる。
【００５３】
図１２の（ｃ）〜（ｆ）は、踵すべり部の基本的な構造を示すものである。（ｃ）及び（ｄ）では、踵すべり部２５２の軸芯５４の両側部分が、その軸芯５４よりも薄く形成され、踵すべり部２５２の外周縁に補強用のリブ２５７が一体に成形されている。また、（ｅ）及び（ｆ）では、踵すべり部３５２の軸芯５４の両側部分が、その軸芯５４よりも薄く形成されている。これらの構造でも、軸芯５４の両側部分における踵すべり部２５２または踵すべり部３５２が幅方向に弾性変形可能である。
【００５４】
以上、本発明に係る靴べら収納杖の実施の形態について説明したが、この実施形態は各種の有効な変更や応用が可能である。例えば、杖本体は靴べらの収納を妨げない形で伸縮可能や分割可能にしてもよい。また、グリップは着脱不要なものだが必要に応じて交換可能にしてもよい。さらに、靴べらの踵すべり部は表裏を設定せずに通常状態で平坦な形状にしてもよい。
【符号の説明】
【００５５】
１  靴べら収納杖
２  杖本体
２１  靴べら収納部
３  グリップ
３１・１３１・１３１ａ  貫通孔
３２・１３２・１３２ａ  開口
３３・１３３・１３３ａ  テーパー曲面（ガイド部）
３４  壁面
３５  中央突部
３６・１３６  凹部
５  靴べら
５１  軸部
５２・５２ａ・１５２  踵すべり部
５３  表面
５４  軸芯
５５・１５５  線状溝
１５７  線状バネ
６１・１６１  握持部
６２・１６２  ボス
２２１  靴べら収納部
２３１  貫通孔
２３３  テーパー面（ガイド部）
Ｗ・Ｗａ  踵すべり部の幅方向外寸
Ｐ  靴べら収納部の幅方向内寸
【図１】
2015202124.tif 000003
【図２】
2015202124.tif 000004
【図３】
2015202124.tif 000005
【図４】
2015202124.tif 000006
【図５】
2015202124.tif 000007
【図６】
2015202124.tif 000008
【図７】
2015202124.tif 000009
【図８】
2015202124.tif 000010
【図９】
2015202124.tif 000011
【図１０】
2015202124.tif 000012
【図１１】
2015202124.tif 000013
【図１２】
2015202124.tif 000014
【手続補正書】
【提出日】平成26年9月11日(2014.9.11)
【手続補正１】
【補正対象書類名】特許請求の範囲
【補正対象項目名】請求項１
【補正方法】変更
【補正の内容】
【請求項１】
杖本体と、この杖本体の上端に設けられたグリップと、前記杖本体の内部に挿脱自在に収納される靴べらとからなる靴べら収納杖であって、
前記杖本体の内部には、その杖本体の上端から下向きに靴べら収納部を設け、
前記グリップには、そのグリップの上端に開口して前記杖本体の靴べら収納部に連通する靴べら挿脱用の貫通孔を設け、この貫通孔内に靴べらガイド用のガイド部を設けており、
前記靴べらは、長尺の軸部と、この軸部の下端に設けられた踵すべり部とからなり、この踵すべり部を幅方向に弾性変形可能にするとともに、この踵すべり部の幅方向外寸を前記杖本体の靴べら収納部の幅方向内寸よりも幅広に形成しており、
前記靴べらの踵すべり部を下向きにして前記グリップの上端から前記貫通孔に挿入させるように構成し、この貫通孔の前記ガイド部により靴べらの踵すべり部を弾性に抗して幅方向に湾曲させながら前記杖本体の靴べら収納部に導入させることによって、その靴べらをグリップの上端から貫通孔を通して杖本体の靴べら収納部まで収納させるように構成した靴べら収納杖。
【手続補正２】
【補正対象書類名】明細書
【補正対象項目名】０００８
【補正方法】変更
【補正の内容】
【０００８】
上記の目的を達成するために、本発明は、杖本体と、この杖本体の上端に設けられたグリップと、前記杖本体の内部に挿脱自在に収納される靴べらとからなる靴べら収納杖であって、前記杖本体の内部には、その杖本体の上端から下向きに靴べら収納部を設け、前記グリップには、そのグリップの上端に開口して前記杖本体の靴べら収納部に連通する靴べら挿脱用の貫通孔を設け、この貫通孔内に靴べらガイド用のガイド部を設けており、前記靴べらは、長尺の軸部と、この軸部の下端に設けられた踵すべり部とからなり、この踵すべり部を幅方向に弾性変形可能にするとともに、この踵すべり部の幅方向外寸を前記杖本体の靴べら収納部の幅方向内寸よりも幅広に形成しており、前記靴べらの踵すべり部を下向きにして前記グリップの上端から前記貫通孔に挿入させるように構成し、この貫通孔の前記ガイド部により靴べらの踵すべり部を弾性に抗して幅方向に湾曲させながら前記杖本体の靴べら収納部に導入させることによって、その靴べらをグリップの上端から貫通孔を通して杖本体の靴べら収納部まで収納させるように構成したものである。